(57)【特許請求の範囲】
【請求項１】
入力デバイスを介して設定値を受け付ける設定画面を表示デバイスに表示させる設定値受付手段と、
設定内容を確認するための設定確認画面を前記表示デバイスに表示させる設定確認画面表示手段と、
記録媒体に印刷を実行する印刷デバイスと
を備え、
前記設定確認画面は、
前記設定値受付手段によって前記設定画面において受け付けられた前記設定値を示す設定値表示領域と、
前記設定値表示領域によって示される前記設定値を反映した、前記印刷デバイスによって実行される印刷のプレビュー画像とを含み、
前記設定確認画面は、前記設定値表示領域を複数含むことが可能であり、
前記設定値受付手段は、前記設定確認画面において、前記設定値表示領域と、前記プレビュー画像のうち前記設定値の反映領域との少なくとも一方が前記入力デバイスを介して指定されることによって、指定された領域に対応する前記設定値の変更を受け付ける前記設定画面を前記表示デバイスに表示させ、
前記設定確認画面表示手段は、前記設定値受付手段によって新たな前記設定値が受け付けられた場合に、前記設定値受付手段によって既に受け付けられていた他の前記設定値が無効になるとき、前記設定確認画面において、無効な前記設定値を示す前記設定値表示領域と、前記プレビュー画像のうち無効な前記設定値の反映領域との少なくとも一方を点滅させ、
前記設定確認画面表示手段は、無効な前記設定値が前記設定確認画面において指定された場合に、この設定値の変更を受け付けるための前記設定画面を前記表示デバイスに表示させ、
前記設定確認画面表示手段は、無効な前記設定値が前記設定確認画面において指定されていない状態が特定の時間経過した場合に、この設定値を、無効にならないデフォルトの設定値に強制的に変更することを特徴とする画像形成装置。
【請求項２】
前記設定確認画面表示手段は、前記設定値が変更された場合に、変更前の前記設定値と、変更後の前記設定値とを前記設定確認画面において示すことを特徴とする請求項１に記載の画像形成装置。
【請求項３】
記録媒体に印刷を実行する印刷デバイスを備える画像形成装置を、
入力デバイスを介して設定値を受け付ける設定画面を表示デバイスに表示させる設定値受付手段、および、
設定内容を確認するための設定確認画面を前記表示デバイスに表示させる設定確認画面表示手段として機能させ、
前記設定確認画面は、
前記設定値受付手段によって前記設定画面において受け付けられた前記設定値を示す設定値表示領域と、
前記設定値表示領域によって示される前記設定値を反映したプレビュー画像とを含み、
前記設定確認画面は、前記設定値表示領域を複数含むことが可能であり、
前記設定値受付手段は、前記設定確認画面において、前記設定値表示領域と、前記プレビュー画像のうち前記設定値の反映領域との少なくとも一方が前記入力デバイスを介して指定されることによって、指定された領域に対応する前記設定値の変更を受け付ける前記設定画面を前記表示デバイスに表示させ、
前記設定確認画面表示手段は、前記設定値受付手段によって新たな前記設定値が受け付けられた場合に、前記設定値受付手段によって既に受け付けられていた他の前記設定値が無効になるとき、前記設定確認画面において、無効な前記設定値を示す前記設定値表示領域と、前記プレビュー画像のうち無効な前記設定値の反映領域との少なくとも一方を点滅させ、
前記設定確認画面表示手段は、無効な前記設定値が前記設定確認画面において指定された場合に、この設定値の変更を受け付けるための前記設定画面を前記表示デバイスに表示させ、
前記設定確認画面表示手段は、無効な前記設定値が前記設定確認画面において指定されていない状態が特定の時間経過した場合に、この設定値を、無効にならないデフォルトの設定値に強制的に変更することを特徴とする設定プログラム。
【請求項４】
入力デバイスを介して設定値を受け付ける設定画面を表示デバイスに表示させる設定値受付手段と、
設定内容を確認するための設定確認画面を前記表示デバイスに表示させる設定確認画面表示手段と、
記録媒体に印刷を実行する印刷デバイスと
を備え、
前記設定確認画面は、
前記設定値受付手段によって前記設定画面において受け付けられた前記設定値を示す設定値表示領域と、
前記設定値表示領域によって示される前記設定値を反映したプレビュー画像とを含み、
前記設定確認画面は、前記設定値表示領域を複数含むことが可能であり、
前記設定値受付手段は、前記設定確認画面において、前記設定値表示領域と、前記プレビュー画像のうち前記設定値の反映領域との少なくとも一方が前記入力デバイスを介して指定されることによって、指定された領域に対応する前記設定値の変更を受け付ける前記設定画面を前記表示デバイスに表示させ、
前記設定確認画面表示手段は、前記設定値受付手段によって新たな前記設定値が受け付けられた場合に、前記設定値受付手段によって既に受け付けられていた他の前記設定値が無効になるとき、前記設定確認画面において、無効な前記設定値を示す前記設定値表示領域と、前記プレビュー画像のうち無効な前記設定値の反映領域との少なくとも一方を点滅させ、
前記設定確認画面表示手段は、無効な前記設定値が前記設定確認画面において指定された場合に、この設定値の変更を受け付けるための前記設定画面を前記表示デバイスに表示させ、
前記設定確認画面表示手段は、無効な前記設定値が前記設定確認画面において指定されていない状態が特定の時間経過した場合に、この設定値を、無効にならないデフォルトの設定値に強制的に変更することを特徴とする画像形成システム。
【発明の詳細な説明】
【技術分野】
【０００１】
本発明は、設定値を受け付ける画像形成装置、設定プログラムおよび画像形成システムに関する。
【背景技術】
【０００２】
従来、操作パネルからの利用者による設定操作の履歴を記録しておき、各設定操作画面から操作履歴をサムネイル表示などで一覧表示し、利用者が過去に遡って設定を容易にする画像形成装置が知られている（例えば、特許文献１参照。）。
【先行技術文献】
【特許文献】
【０００３】
【特許文献１】特開２０１４−０２８５２８号公報
【発明の概要】
【発明が解決しようとする課題】
【０００４】
しかしながら、従来の画像形成装置においては、操作履歴のすべてのサムネイルを保持する必要があるので、大量のメモリーが必要であり、容易に実現することができないという問題がある。
【０００５】
そこで、本発明は、設定値の変更を容易化することができる画像形成装置、設定プログラムおよび画像形成システムを提供することを目的とする。
【課題を解決するための手段】
【０００６】
本発明の画像形成装置は、入力デバイスを介して設定値を受け付ける設定値受付手段と、設定内容を確認するための設定確認画面を表示デバイスに表示させる設定確認画面表示手段とを備え、前記設定確認画面は、前記設定値受付手段によって受け付けられた前記設定値を示す設定値表示領域と、前記設定値表示領域によって示される前記設定値を反映したプレビュー画像とを含み、前記設定確認画面は、前記設定値表示領域を複数含むことが可能であり、前記設定値受付手段は、前記設定確認画面において、前記設定値表示領域と、前記プレビュー画像のうち前記設定値の反映領域との少なくとも一方が前記入力デバイスを介して指定されることによって、指定された領域に対応する前記設定値の変更を受け付けることを特徴とする。
【０００７】
この構成により、本発明の画像形成装置は、設定確認画面において、設定値表示領域と、プレビュー画像のうち設定値の反映領域との少なくとも一方が入力デバイスを介して指定されることによって、指定された領域に対応する設定値の変更を受け付けるので、設定値の変更を容易化することができる。
【０００８】
本発明の画像形成装置において、前記設定確認画面表示手段は、前記設定値受付手段によって新たな前記設定値が受け付けられた場合に、前記設定値受付手段によって既に受け付けられていた他の前記設定値が無効になるとき、前記設定確認画面において、無効な前記設定値を示す前記設定値表示領域と、前記プレビュー画像のうち無効な前記設定値の反映領域との少なくとも一方を特定の態様で表示しても良い。
【０００９】
この構成により、本発明の画像形成装置は、新たな設定値が受け付けられたことによって無効になった設定値を設定確認画面において特定の態様で表示することによって、無効になった設定値を利用者に認識させることができるので、無効になった設定値の変更を容易化することができる。
【００１０】
本発明の設定プログラムは、入力デバイスを介して設定値を受け付ける設定値受付手段、および、設定内容を確認するための設定確認画面を表示デバイスに表示させる設定確認画面表示手段として画像形成装置を機能させ、前記設定確認画面は、前記設定値受付手段によって受け付けられた前記設定値を示す設定値表示領域と、前記設定値表示領域によって示される前記設定値を反映したプレビュー画像とを含み、前記設定確認画面は、前記設定値表示領域を複数含むことが可能であり、前記設定値受付手段は、前記設定確認画面において、前記設定値表示領域と、前記プレビュー画像のうち前記設定値の反映領域との少なくとも一方が前記入力デバイスを介して指定されることによって、指定された領域に対応する前記設定値の変更を受け付けることを特徴とする。
【００１１】
この構成により、本発明の設定プログラムは、設定確認画面において、設定値表示領域と、プレビュー画像のうち設定値の反映領域との少なくとも一方が入力デバイスを介して指定されることによって、指定された領域に対応する設定値の変更を受け付けるので、設定値の変更を容易化することができる。
【００１２】
本発明の画像形成システムは、入力デバイスを介して設定値を受け付ける設定値受付手段と、設定内容を確認するための設定確認画面を表示デバイスに表示させる設定確認画面表示手段とを備え、前記設定確認画面は、前記設定値受付手段によって受け付けられた前記設定値を示す設定値表示領域と、前記設定値表示領域によって示される前記設定値を反映したプレビュー画像とを含み、前記設定確認画面は、前記設定値表示領域を複数含むことが可能であり、前記設定値受付手段は、前記設定確認画面において、前記設定値表示領域と、前記プレビュー画像のうち前記設定値の反映領域との少なくとも一方が前記入力デバイスを介して指定されることによって、指定された領域に対応する前記設定値の変更を受け付けることを特徴とする。
【００１３】
この構成により、本発明の画像形成システムは、設定確認画面において、設定値表示領域と、プレビュー画像のうち設定値の反映領域との少なくとも一方が入力デバイスを介して指定されることによって、指定された領域に対応する設定値の変更を受け付けるので、設定値の変更を容易化することができる。
【発明の効果】
【００１４】
本発明の画像形成装置、設定プログラムおよび画像形成システムは、設定値の変更を容易化することができる。
【図面の簡単な説明】
【００１５】
【図１】本発明の実施の形態に係る画像形成システムのブロック図である。
【図２】図１に示すコンピューターのブロック図である。
【図３】図１に示すＭＦＰのブロック図である。
【図４】図３に示す設定履歴の一例を示す図である。
【図５】図３に示す表示部に表示されるコピー画面の一例を示す図である。
【図６】図３に示す表示部に表示される「解像度」設定画面の一例を示す図である。
【図７】図３に示す表示部に表示される設定確認画面の一例を示す図である。
【図８】図３に示す表示部に表示される「両面／分割」設定画面の一例を示す図である。
【図９】図３に示す表示部に表示される設定確認画面の一例であって図７に示す例とは異なる例を示す図である。
【図１０】図３に示す表示部に表示される「ステープル」設定画面の一例を示す図である。
【図１１】図３に示す表示部に表示される設定確認画面の一例であって図７および９に示す例とは異なる例を示す図である。
【図１２】設定確認画面において設定値の変更を受け付ける場合の図３に示すＭＦＰの動作のフローチャートである。
【図１３】設定確認画面が表示された場合の図３に示すＭＦＰの動作のフローチャートである。
【図１４】設定確認画面が表示された場合の図３に示すＭＦＰの動作であって、図１３に示す動作とは異なる動作のフローチャートである。
【図１５】図３に示す表示部に表示される設定確認画面の一例であって図７、９および１１に示す例とは異なる例を示す図である。
【図１６】図３に示す表示部に表示される設定確認画面の一例であって図７、９、１１および１５に示す例とは異なる例を示す図である。
【発明を実施するための形態】
【００１６】
以下、本発明の実施の形態について、図面を用いて説明する。
【００１７】
まず、本実施の形態に係る画像形成システムの構成について説明する。
【００１８】
図１は、本実施の形態に係る画像形成システム１０のブロック図である。
【００１９】
図１に示すように、画像形成システム１０は、コンピューター２０と、画像形成装置としてのＭＦＰ（Ｍｕｌｔｉｆｕｎｃｔｉｏｎ  Ｐｅｒｉｐｈｅｒａｌ）３０とを備えている。コンピューター２０と、ＭＦＰ３０とは、ＬＡＮ（Ｌｏｃａｌ  Ａｒｅａ  Ｎｅｔｗｏｒｋ）、インターネットなどのネットワーク１１を介して通信可能に接続されている。
【００２０】
図２は、コンピューター２０のブロック図である。
【００２１】
図２に示すように、コンピューター２０は、種々の操作が入力されるマウスやキーボードなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ネットワーク１１（図１参照。）経由でＭＦＰ３０（図１参照。）など、外部の装置と通信を行う通信デバイスである通信部２３と、プログラムおよび各種のデータを記憶しているＨＤＤ（Ｈａｒｄ  Ｄｉｓｋ  Ｄｒｉｖｅ）などの記憶デバイスである記憶部２４と、コンピューター２０全体を制御する制御部２５とを備えている。コンピューター２０は、例えばＰＣ（Ｐｅｒｓｏｎａｌ  Ｃｏｍｐｕｔｅｒ）、携帯機器などの電子機器によって構成されている。
【００２２】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行するようになっている。
【００２３】
図３は、ＭＦＰ３０のブロック図である。
【００２４】
図３に示すように、ＭＦＰ３０は、種々の操作が入力されるボタンなどの入力デバイスである操作部３１と、種々の情報を表示するＬＣＤなどの表示デバイスである表示部３２と、原稿から画像データを読み取る読取デバイスであるスキャナー３３と、用紙などの記録媒体に印刷を実行する印刷デバイスであるプリンター３４と、図示していない外部のファクシミリ装置と公衆電話回線などの通信回線経由でファックス通信を行うファックスデバイスであるファックス通信部３５と、ネットワーク１１（図１参照。）経由でコンピューター２０（図１参照。）など、外部の装置と通信を行う通信デバイスである通信部３６と、各種のデータを記憶している半導体メモリー、ＨＤＤなどの記憶デバイスである記憶部３７と、ＭＦＰ３０全体を制御する制御部３８とを備えている。
【００２５】
操作部３１の少なくとも一部と、表示部３２の少なくとも一部とは、タッチパネルを構成しても良い。
【００２６】
プリンター３４は、通信部３６を介して受信された画像データを含む文書データなどの印刷データをイメージデータに展開して記録媒体に印刷することができる。
【００２７】
通信部３６は、ネットワーク１１を介して印刷データを特定のプロトコルで受信することができる。
【００２８】
記憶部３７は、ＭＦＰ３０の設定を実行するための設定プログラム３７ａを記憶している。設定プログラム３７ａは、ＭＦＰ３０の製造段階でＭＦＰ３０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ３０に追加でインストールされても良いし、ネットワーク１１上からＭＦＰ３０に追加でインストールされても良い。
【００２９】
記憶部３７は、ＭＦＰ３０の設定の履歴を示す設定履歴３７ｂを記憶することができる。
【００３０】
図４は、設定履歴３７ｂの一例を示す図である。
【００３１】
図４に示す設定履歴３７ｂには、設定項目と、設定項目に対する設定値とが含まれる。
【００３２】
図４に示す例では、スキャナー３３によって原稿から読み取られた画像データに基づいた印刷をプリンター３４によって実行するコピーにおけるスキャナー３３による原稿の読み取り解像度を示す「解像度」という設定項目に対して、６００×６００ｄｐｉの解像度を示す「６００」という設定値が設定されている。
【００３３】
また、コピー時の片面印刷、両面印刷などの印刷方法を示す「両面／分割」という設定項目に対して、記録媒体の長辺を軸とした両面印刷を実行することを示す「長辺綴じ」という設定値が設定されている。
【００３４】
また、コピー時の記録媒体へのステープルの方法を示す「ステープル」という設定項目に対して、記録媒体の左上にステープルを実行することを示す「左上ステープル」という設定値が設定されている。
【００３５】
設定履歴３７ｂは、設定の操作がされていない設定項目については含まれない。また、設定履歴３７ｂは、同一の設定項目に対しては、最新の設定値のみが含まれる。
【００３６】
図１に示す制御部３８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３７に記憶されているプログラムを実行する。
【００３７】
制御部３８は、記憶部３７に記憶されている設定プログラム３７ａを実行することによって、操作部３１を介して設定値を受け付ける設定値受付手段３８ａ、および、設定内容を確認するための設定確認画面を表示部３２に表示させる設定確認画面表示手段３８ｂとして機能する。
【００３８】
次に、画像形成システム１０の動作について説明する。
【００３９】
まず、ＭＦＰ３０が設定を実行する場合に表示部３２に表示される画面の遷移について説明する。
【００４０】
ＭＦＰ３０の制御部３８は、コピーの機能の利用が操作部３１を介して指示されると、図５に示すコピー画面４０を表示部３２に表示する。
【００４１】
図５に示すコピー画面４０は、コピー時のスキャナー３３による原稿の読み取り解像度が設定されるための「解像度」ボタン４１と、コピー時にプリンター３４によって印刷される画像のサイズの倍率が設定されるための「縮小／拡大」ボタン４２と、コピー時にプリンター３４によって複数の部数が印刷される場合に部単位で印刷するか否かが設定されるための「部単位」ボタン４３と、コピー時の片面印刷、両面印刷などの印刷方法が設定されるための「両面／分割」ボタン４４と、コピー時に複数枚の原稿を１枚に集約して印刷する印刷方法が設定されるための「ページ集約」ボタン４５と、コピー時の記録媒体へのステープルの方法が設定されるための「ステープル」ボタン４６と、コピーが実行されるための「実行」ボタン４７と、プリンター３４によって印刷される部数を示す部数表示領域４８とを含んでいる。
【００４２】
部数表示領域４８によって示されている部数は、例えば、操作部３１のテンキーを介して変更されることができる。
【００４３】
例えば、図５に示すコピー画面４０において、「解像度」ボタン４１が押されると、制御部３８の設定値受付手段３８ａは、図６に示す「解像度」設定画面５０を表示部３２に表示する。
【００４４】
図６に示す「解像度」設定画面５０には、スキャナー３３による原稿の読み取り解像度を６００×６００ｄｐｉに設定するためのボタン５１と、スキャナー３３による原稿の読み取り解像度を４００×４００ｄｐｉに設定するためのボタン５２と、スキャナー３３による原稿の読み取り解像度を３００×３００ｄｐｉに設定するためのボタン５３と、スキャナー３３による原稿の読み取り解像度を２００×２００ｄｐｉに設定するためのボタン５４と、スキャナー３３による原稿の読み取り解像度を「解像度」設定画面５０の表示が開始された時点の設定のままにするＣａｎｃｅｌボタン５５と、スキャナー３３による原稿の読み取り解像度をボタン５１〜５４において選択された設定にするＯＫボタン５６とを含んでいる。
【００４５】
ボタン５１〜５４は、押されることによって選択された状態になることができる。ボタン５１〜５４は、常に、何れか１つのみが選択された状態になっている。選択された状態のボタンは、反転されている。図６に示す例では、ボタン５４が選択された状態になっている。「解像度」設定画面５０の表示が開始された時点では、その時点での設定に対応しているボタンが選択された状態になっている。
【００４６】
例えば、図６に示す「解像度」設定画面５０において、Ｃａｎｃｅｌボタン５５が押されると、制御部３８は、図５に示すコピー画面４０を表示部３２に表示する。
【００４７】
例えば、図６に示す「解像度」設定画面５０において、ＯＫボタン５６が押されると、設定値受付手段３８ａは、スキャナー３３による原稿の読み取り解像度の設定値としてボタン５１〜５４において選択された設定を受け付けて、設定履歴３７ｂを更新する。そして、制御部３８の設定確認画面表示手段３８ｂは、図７に示す設定確認画面６０を表示部３２に表示する。
【００４８】
図７に示す設定確認画面６０は、図６に示す「解像度」設定画面５０においてボタン５１が選択されていた状態でＯＫボタン５６が押された場合の一例である。
【００４９】
図７に示す設定確認画面６０には、直前の画面に戻るためのＣａｎｃｅｌボタン６１と、コピー画面４０に戻るためのＯＫボタン６２と、プレビュー画像６３と、設定履歴３７ｂに含まれている設定値を示す設定値表示領域としての「解像度」表示領域６４とが含まれている。
【００５０】
「解像度」表示領域６４は、図７に示す例では、スキャナー３３による原稿の読み取り解像度が６００×６００ｄｐｉに設定されていることを示している。
【００５１】
図７に示す例では、プレビュー画像６３には、「解像度」表示領域６４によって示される設定値が反映されている。すなわち、プレビュー画像６３には、スキャナー３３によって６００×６００ｄｐｉで読み取られた画像が印刷されることが示されている。例えば、プレビュー画像６３において、スキャナー３３によって６００×６００ｄｐｉで読み取られた画像が印刷されることが示されている場合は、スキャナー３３によって４００×４００ｄｐｉで読み取られた画像が印刷されることが示されている場合と比較して、記録媒体上に示されている画像の解像度が高い。なお、プレビュー画像６３の表示の時点でスキャナー３３によって原稿から画像データが読み取られていないので、プレビュー画像６３において記録媒体上に示されている画像は、事前に用意されている画像である。
【００５２】
例えば、図６に示す「解像度」設定画面５０から図７に示す設定確認画面６０に遷移していた場合、図７に示す設定確認画面６０において、Ｃａｎｃｅｌボタン６１が押されると、制御部３８は、直前の画面、すなわち、「解像度」設定画面５０を表示部３２に表示する。
【００５３】
例えば、図７に示す設定確認画面６０において、ＯＫボタン６２が押されると、制御部３８は、図５に示すコピー画面４０を表示部３２に表示する。
【００５４】
例えば、図７に示す設定確認画面６０から図５に示すコピー画面４０に戻った後、コピー画面４０において、「両面／分割」ボタン４４が押されると、制御部３８の設定値受付手段３８ａは、図８に示す「両面／分割」設定画面７０を表示部３２に表示する。
【００５５】
図８に示す「両面／分割」設定画面７０には、片面原稿を片面印刷することを設定するためのボタン７１と、１枚目の片面原稿を表面に印刷して２枚目の片面原稿を裏面に印刷する両面印刷であって記録媒体の長辺を軸とした両面印刷を実行することを設定するためのボタン７２と、記録媒体の短辺を軸とした両面印刷を実行することを設定するためのボタン７３と、両面原稿を両面印刷することを設定するためのボタン７４と、両面原稿の表面および裏面をそれぞれ片面印刷することを設定するためのボタン７５と、本など、２ページ分からなる見開き原稿を１ページずつ片面印刷することを設定するためのボタン７６と、２ページ分からなる見開き原稿の１ページ目を表面に印刷して２ページ目を裏面に印刷する両面印刷を実行することを設定するためのボタン７７と、コピー時の片面印刷、両面印刷などの印刷方法を「両面／分割」設定画面７０の表示が開始された時点の設定のままにするＣａｎｃｅｌボタン７８と、コピー時の片面印刷、両面印刷などの印刷方法をボタン７１〜７７において選択された設定にするＯＫボタン７９とを含んでいる。
【００５６】
ボタン７１〜７７は、押されることによって選択された状態になることができる。ボタン７１〜７７は、常に、何れか１つのみが選択された状態になっている。選択された状態のボタンは、反転されている。図８に示す例では、ボタン７１が選択された状態になっている。「両面／分割」設定画面７０の表示が開始された時点では、その時点での設定に対応しているボタンが選択された状態になっている。
【００５７】
例えば、図８に示す「両面／分割」設定画面７０において、Ｃａｎｃｅｌボタン７８が押されると、制御部３８は、図５に示すコピー画面４０を表示部３２に表示する。
【００５８】
例えば、図８に示す「両面／分割」設定画面７０において、ＯＫボタン７９が押されると、設定値受付手段３８ａは、コピー時の片面印刷、両面印刷などの印刷方法の設定値としてボタン７１〜７７において選択された設定を受け付けて、設定履歴３７ｂを更新する。そして、制御部３８の設定確認画面表示手段３８ｂは、図９に示す設定確認画面６０を表示部３２に表示する。
【００５９】
図９に示す設定確認画面６０は、図８に示す「両面／分割」設定画面７０においてボタン７２が選択されていた状態でＯＫボタン７９が押された場合の一例である。
【００６０】
図９に示す設定確認画面６０には、図７に示す設定確認画面６０と比較して、設定履歴３７ｂに含まれている設定値を示す設定値表示領域としての「両面／分割」表示領域６５が新たに含まれている。
【００６１】
また、図９に示す設定確認画面６０に含まれているプレビュー画像６３には、図７に示す設定確認画面６０と比較して、「両面／分割」表示領域６５によって示される設定値が新たに反映されている。
【００６２】
「両面／分割」表示領域６５は、図９に示す例では、記録媒体の長辺を軸とした両面印刷が実行されることを示している。
【００６３】
図９に示す例では、プレビュー画像６３には、「解像度」表示領域６４によって示される設定値と、「両面／分割」表示領域６５によって示される設定値とが反映されている。すなわち、図９に示す設定確認画面６０に含まれているプレビュー画像６３は、図７に示す設定確認画面６０に含まれているプレビュー画像６３と比較して、記録媒体の長辺を軸とした両面印刷が実行されることが記録媒体の捲れによって新たに示されている。
【００６４】
例えば、図８に示す「両面／分割」設定画面７０から図９に示す設定確認画面６０に遷移していた場合、図９に示す設定確認画面６０において、Ｃａｎｃｅｌボタン６１が押されると、制御部３８は、直前の画面、すなわち、「両面／分割」設定画面７０を表示部３２に表示する。
【００６５】
例えば、図９に示す設定確認画面６０において、ＯＫボタン６２が押されると、制御部３８は、図５に示すコピー画面４０を表示部３２に表示する。
【００６６】
例えば、図９に示す設定確認画面６０から図５に示すコピー画面４０に戻った後、コピー画面４０において、「ステープル」ボタン４６が押されると、制御部３８の設定値受付手段３８ａは、図１０に示す「ステープル」設定画面８０を表示部３２に表示する。
【００６７】
図１０に示す「ステープル」設定画面８０には、記録媒体にステープルを実行しないことを設定するためのボタン８１と、記録媒体の左上にステープルを実行することを設定するためのボタン８２と、記録媒体の右上にステープルを実行することを設定するためのボタン８３と、コピー時の記録媒体へのステープルの方法を「ステープル」設定画面８０の表示が開始された時点の設定のままにするＣａｎｃｅｌボタン８４と、コピー時の記録媒体へのステープルの方法をボタン８１〜８３において選択された設定にするＯＫボタン８５とを含んでいる。
【００６８】
ボタン８１〜８３は、押されることによって選択された状態になることができる。ボタン８１〜８３は、常に、何れか１つのみが選択された状態になっている。選択された状態のボタンは、反転されている。図１０に示す例では、ボタン８１が選択された状態になっている。「ステープル」設定画面８０の表示が開始された時点では、その時点での設定に対応しているボタンが選択された状態になっている。
【００６９】
例えば、図１０に示す「ステープル」設定画面８０において、Ｃａｎｃｅｌボタン８４が押されると、制御部３８は、図５に示すコピー画面４０を表示部３２に表示する。
【００７０】
例えば、図１０に示す「ステープル」設定画面８０において、ＯＫボタン８５が押されると、設定値受付手段３８ａは、コピー時の記録媒体へのステープルの方法の設定値としてボタン８１〜８３において選択された設定を受け付けて、設定履歴３７ｂを更新する。そして、制御部３８の設定確認画面表示手段３８ｂは、図１１に示す設定確認画面６０を表示部３２に表示する。
【００７１】
図１１に示す設定確認画面６０は、図１０に示す「ステープル」設定画面８０においてボタン８２が選択されていた状態でＯＫボタン８５が押された場合の一例である。
【００７２】
図１１に示す設定確認画面６０には、図９に示す設定確認画面６０と比較して、設定履歴３７ｂに含まれている設定値を示す設定値表示領域としての「ステープル」表示領域６６が新たに含まれている。
【００７３】
また、図１１に示す設定確認画面６０に含まれているプレビュー画像６３には、図９に示す設定確認画面６０と比較して、「ステープル」表示領域６６によって示される設定値が新たに反映されている。
【００７４】
「ステープル」表示領域６６は、図１１に示す例では、記録媒体の左上にステープルが実行されることを示している。
【００７５】
図１１に示す例では、プレビュー画像６３には、「解像度」表示領域６４によって示される設定値と、「両面／分割」表示領域６５によって示される設定値と、「ステープル」表示領域６６によって示される設定値とが反映されている。すなわち、図１１に示す設定確認画面６０に含まれているプレビュー画像６３は、図９に示す設定確認画面６０に含まれているプレビュー画像６３と比較して、記録媒体の左上にステープルが実行されることが新たに示されている。
【００７６】
例えば、図１０に示す「ステープル」設定画面８０から図１１に示す設定確認画面６０に遷移していた場合、図１１に示す設定確認画面６０において、Ｃａｎｃｅｌボタン６１が押されると、制御部３８は、直前の画面、すなわち、「ステープル」設定画面８０を表示部３２に表示する。
【００７７】
例えば、図１１に示す設定確認画面６０において、ＯＫボタン６２が押されると、制御部３８は、図５に示すコピー画面４０を表示部３２に表示する。
【００７８】
以上においては、「解像度」、「両面／分割」、「ステープル」について説明したが、あくまで一例であるので、他の設定についても同様である。
【００７９】
なお、利用者は、コピー画面４０の「実行」ボタン４７を操作部３１を介して押すか、操作部３１に含まれるスタートボタンを押すことによって、コピーの実行を指示することができる。制御部３８は、コピーの実行が指示されると、コピーの実行が指示された時点での設定に従って、スキャナー３３およびプリンター３４によってコピーを実行する。
【００８０】
制御部３８は、コピーを実行した場合、設定履歴３７ｂにおけるコピーに関する設定の履歴を削除する。また、制御部３８は、コピーを実行せずに、コピー画面４０の上層のホーム画面に遷移した場合にも、設定履歴３７ｂにおけるコピーに関する設定の履歴を削除する。
【００８１】
次に、設定確認画面６０において設定値の変更を受け付ける場合のＭＦＰ３０の動作について説明する。
【００８２】
図１２は、設定確認画面６０において設定値の変更を受け付ける場合のＭＦＰ３０の動作のフローチャートである。
【００８３】
ＭＦＰ３０の制御部３８は、設定確認画面６０において、設定値表示領域と、プレビュー画像６３のうち設定値の反映領域との少なくとも一方が操作部３１を介して指定されると、図１２に示す動作を実行する。
【００８４】
ここで、例えば、図１１に示す設定確認画面６０においては、「解像度」の設定値の設定値表示領域は、「解像度」表示領域６４である。また、「両面／分割」の設定値の設定値表示領域は、「両面／分割」表示領域６５である。また、「ステープル」の設定値の設定値表示領域は、「ステープル」表示領域６６である。
【００８５】
また、例えば、図１１に示す設定確認画面６０においては、プレビュー画像６３のうち「解像度」の設定値の反映領域は、プレビュー画像６３における記録媒体上の画像が示されている領域である。また、プレビュー画像６３のうち「両面／分割」の設定値の反映領域は、プレビュー画像６３における記録媒体上の捲られている箇所の領域である。また、プレビュー画像６３のうち「ステープル」の設定値の反映領域は、プレビュー画像６３における記録媒体上のステープルが示されている領域である。
【００８６】
図１２に示すように、設定値受付手段３８ａは、指定された領域に対応する設定値の変更を受け付ける設定画面を表示部３２に表示する（Ｓ１０１）。
【００８７】
例えば、図１１に示す設定確認画面６０において、「解像度」表示領域６４と、プレビュー画像６３における記録媒体上の画像が示されている領域との何れかが操作部３１を介して指定された場合、設定値受付手段３８ａは、指定された領域に対応する設定値、すなわち、「解像度」の変更を受け付ける設定画面、すなわち、「解像度」設定画面５０を表示部３２に表示する。
【００８８】
また、図１１に示す設定確認画面６０において、「両面／分割」表示領域６５と、プレビュー画像６３における記録媒体上の捲られている箇所の領域との何れかが操作部３１を介して指定された場合、設定値受付手段３８ａは、指定された領域に対応する設定値、すなわち、「両面／分割」の変更を受け付ける設定画面、すなわち、「両面／分割」設定画面７０を表示部３２に表示する。
【００８９】
また、図１１に示す設定確認画面６０において、「ステープル」表示領域６６と、プレビュー画像６３における記録媒体上のステープルが示されている領域との何れかが操作部３１を介して指定された場合、設定値受付手段３８ａは、指定された領域に対応する設定値、すなわち、「ステープル」の変更を受け付ける設定画面、すなわち、「ステープル」設定画面８０を表示部３２に表示する。
【００９０】
設定値受付手段３８ａは、Ｓ１０１の処理の後、Ｓ１０１において表示した設定画面においてＣａｎｃｅｌボタンが押されたか否かを判断する（Ｓ１０２）。
【００９１】
設定値受付手段３８ａは、Ｃａｎｃｅｌボタンが押されていないとＳ１０２において判断すると、Ｓ１０１において表示した設定画面においてＯＫボタンが押されたか否かを判断する（Ｓ１０３）。
【００９２】
設定値受付手段３８ａは、ＯＫボタンが押されていないとＳ１０３において判断すると、Ｓ１０２の処理を実行する。
【００９３】
設定値受付手段３８ａは、ＯＫボタンが押されたとＳ１０３において判断すると、Ｓ１０１において表示した設定画面において選択されている設定を受け付けて（Ｓ１０４）、設定履歴３７ｂを更新する（Ｓ１０５）。
【００９４】
設定確認画面表示手段３８ｂは、Ｃａｎｃｅｌボタンが押されたとＳ１０２において判断されるか、Ｓ１０５の処理が終了すると、設定確認画面６０を表示部３２に表示して（Ｓ１０６）、図１２に示す動作を終了する。
【００９５】
次に、設定確認画面６０が表示された場合のＭＦＰ３０の動作について説明する。
【００９６】
図１３は、設定確認画面６０が表示された場合のＭＦＰ３０の動作のフローチャートである。
【００９７】
ＭＦＰ３０の制御部３８は、表示部３２に設定確認画面６０が表示されると、図１３に示す動作を実行する。
【００９８】
図１３に示すように、設定確認画面表示手段３８ｂは、設定確認画面６０が表示される直前に設定値受付手段３８ａによって新たな設定値が受け付けられたか否かを判断する（Ｓ１３１）。例えば、設定確認画面表示手段３８ｂは、図１２に示す動作において設定画面でＯＫボタンが押されて（Ｓ１０３でＹＥＳ）設定確認画面６０を表示部３２に表示した（Ｓ１０６）場合など、設定画面でＯＫボタンが押されて設定確認画面６０を表示部３２に表示した場合、設定確認画面６０が表示される直前に設定値受付手段３８ａによって新たな設定値が受け付けられたと判断する。一方、設定確認画面表示手段３８ｂは、図１２に示す動作においてＣａｎｃｅｌボタンが押されて（Ｓ１０２でＹＥＳ）設定確認画面６０を表示部３２に表示した（Ｓ１０６）場合、設定確認画面６０が表示される直前に設定値受付手段３８ａによって新たな設定値が受け付けられなかったと判断する。
【００９９】
設定確認画面表示手段３８ｂは、設定確認画面６０が表示される直前に設定値受付手段３８ａによって新たな設定値が受け付けられなかったとＳ１３１において判断すると、図１３に示す動作を終了する。
【０１００】
設定確認画面表示手段３８ｂは、設定確認画面６０が表示される直前に設定値受付手段３８ａによって新たな設定値が受け付けられたとＳ１３１において判断すると、設定確認画面６０が表示される直前に設定値受付手段３８ａによって受け付けられた新たな設定値（以下「対象の設定値」と言う。）の存在によって、設定履歴３７ｂに記憶されている他の設定値の何れかが無効になるか否かを判断する（Ｓ１３２）。例えば、複数枚の原稿を１枚に集約して印刷する「ページ集約」を実行するという設定値と、プリンター３４によって複数の部数が印刷される場合に「部単位」で印刷するという設定値とが同時に設定されることができないので、対象の設定値が、「ページ集約」を実行するという設定値である場合、設定履歴３７ｂに記憶されている他の設定値が、「部単位」で印刷するという設定値であるとき、設定履歴３７ｂに記憶されている他の設定値は、対象の設定値によって無効になる。
【０１０１】
設定確認画面表示手段３８ｂは、何れも無効にならないとＳ１３２において判断すると、図１３に示す動作を終了する。
【０１０２】
設定確認画面表示手段３８ｂは、何れかが無効になるとＳ１３２において判断すると、無効な設定値を設定確認画面６０において通知する（Ｓ１３３）。ここで、無効な設定値の設定確認画面６０における通知方法としては、無効な設定値を示す設定値表示領域と、プレビュー画像６３のうち無効な設定値の反映領域との少なくとも一方を特定の態様で表示する方法がある。
【０１０３】
例えば、無効な設定値が「解像度」の設定値である場合、設定確認画面表示手段３８ｂは、「解像度」表示領域６４を点滅させたり、プレビュー画像６３における記録媒体上の画像が示されている領域を点滅させたりすることによって、「解像度」の設定値が無効な設定値であることを通知することができる。
【０１０４】
また、無効な設定値が「両面／分割」の設定値である場合、設定確認画面表示手段３８ｂは、「両面／分割」表示領域６５を点滅させたり、プレビュー画像６３における記録媒体上の捲られている箇所の領域を点滅させたりすることによって、「両面／分割」の設定値が無効な設定値であることを通知することができる。
【０１０５】
また、無効な設定値が「ステープル」の設定値である場合、設定確認画面表示手段３８ｂは、「ステープル」表示領域６６を点滅させたり、プレビュー画像６３における記録媒体上のステープルが示されている領域を点滅させたりすることによって、「ステープル」の設定値が無効な設定値であることを通知することができる。
【０１０６】
なお、設定確認画面表示手段３８ｂは、点滅以外の表示態様によって、無効な設定値を設定確認画面６０において通知しても良い。例えば、無効な設定値が「両面／分割」の設定値である場合、設定確認画面表示手段３８ｂは、プレビュー画像６３における記録媒体を捲られている状態と、捲られていない状態とに繰り返し変更することによって、「両面／分割」の設定値が無効な設定値であることを通知しても良い。
【０１０７】
設定確認画面表示手段３８ｂは、Ｓ１３３の処理の後、設定確認画面６０において通知されている無効な設定値に関して、設定値表示領域と、プレビュー画像６３のうち設定値の反映領域との少なくとも一方が操作部３１を介して指定されたか否かを判断する（Ｓ１３４）。
【０１０８】
設定確認画面表示手段３８ｂは、指定されていないとＳ１３４において判断すると、再びＳ１３４の処理を実行する。
【０１０９】
設定確認画面表示手段３８ｂは、指定されたとＳ１３４において判断すると、図１３に示す動作を終了する。そして、制御部３８は、指定された領域に対応する設定値に関して、図１２に示す動作を開始する。
【０１１０】
なお、図１３に示す動作において、設定確認画面表示手段３８ｂは、無効な設定値が設定確認画面６０において指定されていない場合（Ｓ１３４でＮＯ）、無効な設定値が設定確認画面６０において指定されるまで待つようになっている。しかしながら、設定確認画面表示手段３８ｂは、図１３に示す動作に代えて図１４に示す動作を実行しても良い。
【０１１１】
図１４に示す動作は、図１３に示す動作とは異なり、設定確認画面表示手段３８ｂは、無効な設定値が設定確認画面６０において指定されていない状態が特定の時間経過したか否かを判断する（Ｓ１３５）。そして、設定確認画面表示手段３８ｂは、無効な設定値が設定確認画面６０において指定されていない状態が特定の時間経過したとＳ１３５において判断すると、無効な設定値を、無効にならないデフォルトの設定値に強制的に変更する（Ｓ１３６）。
【０１１２】
以上に説明したように、ＭＦＰ３０は、設定確認画面６０において、設定値表示領域と、プレビュー画像６３のうち設定値の反映領域との少なくとも一方が操作部３１を介して指定されることによって、指定された領域に対応する設定値の変更を受け付ける（Ｓ１０４）ので、利用者による設定値の変更を容易化することができる。
【０１１３】
ＭＦＰ３０は、操作部３１を介して受け付けた設定値を反映したプレビュー画像６３を表示部３２に表示するので、設定画面のサムネイルなどを表示する構成と比較して、直感的に設定の履歴を利用者に認識させることができる。
【０１１４】
ＭＦＰ３０は、設定確認画面６０を表示部３２に表示するので、コピーなど、設定値が反映される最終的な動作が実行される前に、どのような設定値が設定されているのかを利用者に容易に理解させることができる。特に、ＭＦＰ３０は、例えば利用者がログインした時点などの特定の時点での設定値から設定値が変更された場合には、図１５に示すように、特定の時点での設定値と、その後の変更後の設定値とを設定確認画面６０において示すようにすれば、どのように設定値が変更されたかも利用者に容易に理解させることができる。
【０１１５】
ＭＦＰ３０は、本実施の形態において、設定確認画面６０において設定値の変更を受け付けた場合、設定値の変更を受け付ける設定画面を表示部３２に表示する（Ｓ１０１）ようになっている。しかしながら、ＭＦＰ３０は、設定確認画面６０において設定値の変更を受け付けた場合、設定確認画面６０を表示部３２に表示させたまま、設定確認画面６０上の設定値表示領域で設定値を変更しても良い。例えば、ＭＦＰ３０は、図１６に示すように、設定確認画面６０上の設定値表示領域に設定値の候補をプルダウン表示することによって、設定確認画面６０上の設定値表示領域で設定値を変更することができる。この構成により、ＭＦＰ３０は、画面の遷移を低減することができ、制御部３８による画面の遷移の処理の負荷を軽減することができる。
【０１１６】
ＭＦＰ３０は、新たな設定値が受け付けられたことによって無効になった設定値を設定確認画面６０において特定の態様で表示する（Ｓ１３３）ことによって、無効になった設定値を利用者に認識させることができるので、無効になった設定値の利用者による変更を容易化することができる。
【０１１７】
ＭＦＰ３０は、本実施の形態において設定履歴３７ｂを記憶部３７に記憶するが、制御部３８のＲＡＭ、外部から着脱可能に配置されるＳＤカードやＵＳＢメモリーなど、記憶部３７以外の記憶デバイスに設定履歴を記憶するようになっていても良い。
【０１１８】
ＭＦＰ３０は、本実施の形態において操作部３１を介して設定値を受け付けて設定確認画面６０を表示部３２に表示させている。しかしながら、ＭＦＰ３０は、コンピューター２０の操作部２１を介して設定値を受け付けて設定確認画面をコンピューター２０の表示部２２に表示させても良い。例えば、ＭＦＰ３０は、コンピューター２０の操作部２１を介して設定値を受け付けて設定確認画面をコンピューター２０の表示部２２に表示させるためのウェブページをコンピューター２０に提供しても良い。
【０１１９】
本発明の画像形成装置は、本実施の形態においてＭＦＰであるが、プリンター専用機、コピー専用機、ファックス専用機など、ＭＦＰ以外の画像形成装置であっても良い。
【符号の説明】
【０１２０】
１０  画像形成システム
２１  操作部（入力デバイス）
２２  表示部（表示デバイス）
３０  ＭＦＰ（画像形成装置）
３１  操作部（入力デバイス）
３２  表示部（表示デバイス）
３７ａ  設定プログラム
３８ａ  設定値受付手段
３８ｂ  設定確認画面表示手段
６０  設定確認画面
６３  プレビュー画像
６４  「解像度」表示領域（設定値表示領域）
６５  「両面／分割」表示領域（設定値表示領域）
６６  「ステープル」表示領域（設定値表示領域）
【図１】
0006406519.tif 000002
【図２】
0006406519.tif 000003
【図３】
0006406519.tif 000004
【図４】
0006406519.tif 000005
【図５】
0006406519.tif 000006
【図６】
0006406519.tif 000007
【図７】
0006406519.tif 000008
【図８】
0006406519.tif 000009
【図９】
0006406519.tif 000010
【図１０】
0006406519.tif 000011
【図１１】
0006406519.tif 000012
【図１２】
0006406519.tif 000013
【図１３】
0006406519.tif 000014
【図１４】
0006406519.tif 000015
【図１５】
0006406519.tif 000016
【図１６】
0006406519.tif 000017